(57)【要約】【課題】アナログ放送用及び／又はデジタル放送用の種類数が多いＣｌｏｓｅｄ  Ｃａｐｔｉｏｎ（以下、ＣＣと略す）サービスの中から任意のサービスを使い勝手良く選択して切り替えし得る切り替え手段を提供する。【解決手段】アナログ放送の垂直帰線期間から又はデジタル放送のトランスポートストリームから抽出したＥＩＡ−６０８規格のＣＣデータをデコード部１４１にてデコードし、サービス判定部１４５にてサービスを示すサービスコードを判別して、また、トランスポートストリームから抽出したＥＩＡ−７０８規格のＣＣデータをＥＩＡ−７０８ＣＣデコーダにてデコードして得たサービスパケットのサービス情報を判別して、現在放送されているＥＩＡ−６０８とＥＩＡ−７０８との各サービスとして登録し、登録された現在放送されているＥＩＡ−６０８とＥＩＡ−７０８との各サービスのみを用いて、その中から所望のサービスを選択して切り替える。【選択図】図２
2005303623.tif 000002
【特許請求の範囲】
【請求項１】
アナログ放送を受信可能な放送受信機において、ＥＩＡ−６０８規格準拠のＥＩＡ−６０８Ｃｌｏｓｅｄ  Ｃａｐｔｉｏｎ（以下、ＥＩＡ−６０８ＣＣと略す）のデータをアナログ放送信号の垂直帰線期間（ＶＢＩ）から抽出するＥＩＡ−６０８ＣＣデータ抽出手段と、抽出したＥＩＡ−６０８ＣＣデータをデコードするＥＩＡ−６０８ＣＣデコード手段と、デコードしたＥＩＡ−６０８ＣＣデータに含まれているサービスを特定するサービスコードを判別して、現在放送されているＥＩＡ−６０８の各サービスを判定して登録するサービス判定手段と、該サービス判定手段により判定され、登録された現在放送されているＥＩＡ−６０８の各サービスのみを用いて、該サービスのいずれかを選択して切り替えるサービス切り替え手段とを備えていることを特徴とする放送受信機。
【請求項２】
請求項１に記載の放送受信機において、前記サービス判定手段が、現在放送されているＥＩＡ−６０８の各サービスを判定して登録する際に、デコードしたＥＩＡ−６０８ＣＣデータに含まれている前記サービスコードのみならず、デコードしたＥＩＡ−６０８ＣＣデータの中に描画すべきデータが含まれているか否かを判別し、描画すべきデータが含まれている場合には、現在放送されているサービスとして判定して登録することを特徴とする放送受信機。
【請求項３】
デジタル放送を受信可能な放送受信機において、ＥＩＡ−７０８規格準拠のＥＩＡ−７０８Ｃｌｏｓｅｄ  Ｃａｐｔｉｏｎ（以下、ＥＩＡ−７０８ＣＣと略す）のデータをデジタル放送信号のトランスポートストリームから抽出するＥＩＡ−７０８ＣＣデータ抽出手段と、抽出したＥＩＡ−７０８ＣＣデータをデコードするＥＩＡ−７０８ＣＣデコード手段と、デコードしたＥＩＡ−７０８ＣＣデータに含まれているサービスパケットを抽出し、該サービスパケットのサービス情報を判別して、現在放送されているＥＩＡ−７０８の各サービスを判定して登録するサービス判定手段と、該サービス判定手段により判定され、登録された現在放送されているＥＩＡ−７０８の各サービスのみを用いて、該サービスのいずれかを選択して切り替えるサービス切り替え手段とを備えていることを特徴とする放送受信機。
【請求項４】
請求項３に記載の放送受信機において、前記サービス判定手段が、現在放送されているＥＩＡ−７０８の各サービスを判定して登録する際に、デコードしたＥＩＡ−７０８ＣＣデータに含まれている前記サービスパケットのサービス情報のみならず、デコードしたＥＩＡ−７０８ＣＣデータの中に描画すべきデータが含まれているか否かを判別し、描画すべきデータが含まれている場合には、現在放送されているサービスとして判定して登録することを特徴とする放送受信機。
【請求項５】
アナログ放送とデジタル放送との双方を受信可能な放送受信機において、ＥＩＡ−６０８規格準拠のＥＩＡ−６０８Ｃｌｏｓｅｄ  Ｃａｐｔｉｏｎ（以下、ＥＩＡ−６０８ＣＣと略す）のデータをアナログ放送信号の垂直帰線期間（ＶＢＩ）から、あるいは、デジタル放送信号のトランスポートストリームから抽出するＥＩＡ−６０８ＣＣデータ抽出手段と、抽出したＥＩＡ−６０８ＣＣデータをデコードするＥＩＡ−６０８ＣＣデコード手段と、ＥＩＡ−７０８規格準拠のＥＩＡ−７０８Ｃｌｏｓｅｄ  Ｃａｐｔｉｏｎ（以下、ＥＩＡ−７０８ＣＣと略す）のデータをデジタル放送信号のトランスポートストリームから抽出するＥＩＡ−７０８ＣＣデータ抽出手段と、抽出したＥＩＡ−７０８ＣＣデータをデコードするＥＩＡ−７０８ＣＣデコード手段と、デコードしたＥＩＡ−６０８ＣＣデータに含まれているサービスを特定するサービスコードを判別して、また、デコードしたＥＩＡ−７０８ＣＣデータに含まれているサービスパケットを抽出し、該サービスパケットのサービス情報を判別して、現在放送されているＥＩＡ−６０８の各サービスと現在放送されているＥＩＡ−７０８の各サービスとを判定して登録する、サービス判定手段と、該サービス判定手段により判定され、登録された現在放送されているＥＩＡ−６０８の各サービスとＥＩＡ−７０８の各サービスのみを用いて、該サービスのいずれかを選択して切り替えるサービス切り替え手段とを備えていることを特徴とする放送受信機。
【請求項６】
請求項５に記載の放送受信機において、前記サービス判定手段が、現在放送されているＥＩＡ−６０８の各サービスと現在放送されているＥＩＡ−７０８の各サービスとを判定して登録する際に、デコードしたＥＩＡ−６０８ＣＣデータに含まれている前記サービスコードのみならず、デコードしたＥＩＡ−６０８ＣＣデータの中に描画すべきデータが含まれているか否かを判別し、また、デコードしたＥＩＡ−７０８ＣＣデータに含まれている前記サービスパケットのサービス情報のみならず、デコードしたＥＩＡ−７０８ＣＣデータの中に描画すべきデータが含まれているか否かを判別し、描画すべきデータが含まれている場合には、現在放送されているサービスとして判定して登録することを特徴とする放送受信機。
【請求項７】
請求項５又は６に記載の放送受信機において、アナログ放送とデジタル放送とを切り替える放送切り替え手段と、前記サービス判定手段により登録された現在放送されているアナログ放送用のＥＩＡ−６０８の各サービスとデジタル放送用のＥＩＡ−７０８の各サービスとのそれぞれの中から、前記サービス切り替え手段により現在選択中のサービスに最も近いＥＩＡ−６０８のサービスとＥＩＡ−７０８のサービスとをそれぞれ判別し取得するサービス取得手段とを備え、前記放送切り替え手段によりアナログ放送とデジタル放送との間の切り替えがなされた際に、切り替えたアナログ放送又はデジタル放送に適用されるアナログ放送用のＥＩＡ−６０８の各サービス又はデジタル放送用のＥＩＡ−７０８の各サービスのいずれかのうち、前記サービス取得手段により取得された前記現在選択中のサービスに最も近いサービスに切り替えることを特徴とする放送受信機。
【請求項８】
請求項１乃至７のいずれかに記載の放送受信機において、前記サービス切り替え手段として、順番に切り替えていく切り替え構造からなるトグル切り替えボタンを用いていることを特徴とする放送受信機。
【請求項９】
請求項１乃至８のいずれかに記載の放送受信機において、放送されていたサービスが放送されなくなって消失した状態に移行したことを判別するサービス消失判別手段を備え、放送されなくなって消失したと判別されたサービスを、前記サービス判定手段により登録されていた現在放送されているサービスから削除することを特徴とする放送受信機。
【請求項１０】
請求項１乃至８のいずれかに記載の放送受信機において、放送されていたサービスが放送されなくなって消失した状態に移行したことを判別するサービス消失判別手段と、前記サービス判定手段により登録された現在放送されている各サービスの中から、前記サービス切り替え手段により現在選択中のサービスに最も近いサービスを判別して取得する近似サービス判定手段とを備え、前記サービス消失判別手段において前記現在選択中のサービスが放送されなくなって消失したことを判別した際に、前記近似サービス判定手段により取得された最も近いサービスに切り替えることを特徴とする放送受信機。
【請求項１１】
請求項１０に記載の放送受信機において、放送されなくなった前記現在選択中のサービスが復活して放送が再開された場合、前記近似サービス判定手段により取得された最も近いサービスに切り替えられていた状態から、再開された前記現在選択中のサービスに自動的に切り戻すことを特徴とする放送受信機。
【請求項１２】
請求項１０又は１１に記載の放送受信機において、前記サービス判定手段により登録された各サービスについてＣｌｏｓｅｄ  ＣａｐｔｉｏｎのサービスとＴＥＸＴのサービスとのいずれのサービス種別かを判別するサービス種別判別手段を備え、前記近似サービス判定手段が、現在選択中のサービスに最も近いサービスを判別して取得する際に、現在選択中のサービスがＣｌｏｓｅｄ  Ｃａｐｔｉｏｎのサービスであった場合には、前記サービス種別判別手段により判別されたＣｌｏｓｅｄ  Ｃａｐｔｉｏｎのサービスの中からのみ最も近いサービスを判別し、現在選択中のサービスがＴＥＸＴのサービスであった場合には、前記サービス種別判別手段により判別されたＴＥＸＴのサービスの中からのみ最も近いサービスを判別することを特徴とする放送受信機。
【請求項１３】
請求項１２に記載の放送受信機において、前記近似サービス判定手段が、現在選択中のサービスに最も近いサービスを判別して取得する際に、現在選択中のサービスと同じサービス種別のサービスが全て放送されなくなって消失してしまっている状態にあった場合、消失してしまったサービスの中から、現在選択中のサービスに最も近いサービスを判別して一時的に取得することを特徴とする放送受信機。
【請求項１４】
請求項１３に記載の放送受信機において、消失してしまったサービスの中から前記近似サービス判定手段により一時的に取得された最も近いサービスに切り替えられていた状態にあった場合に、放送されなくなった前記現在選択中のサービスが再開された場合、あるいは、放送されなくなった前記現在選択中のサービスと同じサービス種別のサービスの放送が開始された場合、前記近似サービス判定手段により一時的に取得された最も近いサービスに切り替えられていた状態から、再開された前記現在選択中のサービスあるいは開始された前記同じサービス種別のサービスに自動的に切り替えることを特徴とする放送受信機。
【請求項１５】
請求項９乃至１４のいずれかに記載の放送受信機において、前記サービス消失判別手段は、放送チャンネルの選局の変更又は放送以外の入力への切り替えの操作を判別した場合、あるいは、放送が停止されたことを判別した場合、あるいは、番組情報による開始時刻又は終了時刻の到達により番組が変更されたことを判別した場合、あるいは、サービスが予め定めた一定期間の間放送されていないことを判別した場合、サービスが放送されなくなって消失したものと判別することを特徴とする放送受信機。
【請求項１６】
請求項１乃至１５のいずれかに記載の放送受信機において、少なくとも、前記サービス判定手段により登録された現在放送されている各サービスのサービス名及び／又は当該サービスが使用する言語情報と、現在放送されている各サービスのうち、前記サービス切り替え手段により現在選択中のサービスを示す情報とを表示することを特徴とする放送受信機。
【請求項１７】
請求項１乃至１５のいずれかに記載の放送受信機において、少なくとも、現在放送されている各サービスのうち、前記サービス切り替え手段により現在選択中のサービスのサービス名及び／又は当該サービスが使用する言語情報を表示することを特徴とする放送受信機。
【請求項１８】
請求項１６又は１７に記載の放送受信機において、更に、前記サービス判定手段により登録された現在放送されているサービスの合計数をも表示することを特徴とする放送受信機。
【請求項１９】
請求項１６乃至１８のいずれかに記載の放送受信機において、更に、前記サービス切り替え手段としてトグル切り替えボタンを用いる場合に備えて、該トグル切り替えボタンのサービスの切り替え順番を表示することを特徴とする放送受信機。
【請求項２０】
請求項１６乃至１９のいずれかに記載の放送受信機において、更に、現在選択中のサービスとして表示されているサービスが、前記サービス切り替え手段により現在選択中のサービスではなく、該現在選択中のサービスに最も近いサービスに切り替えられている場合に備えて、前記サービス切り替え手段により現在選択中のサービスではなく、前記最も近いサービスに切り替えられていることを示す識別表示を表示することができることを特徴とする放送受信機。
【請求項２１】
請求項２０に記載の放送受信機において、前記最も近いサービスに切り替えられている状態から、前記サービス切り替え手段により前記現在選択中のサービスの状態に切り戻された場合に、前記最も近いサービスに切り替えられていることを示す前記識別表示を削除して表示することを特徴とする放送受信機。
【発明の詳細な説明】
【技術分野】
【０００１】
本発明は、放送受信機に関し、アナログ放送を受信可能なアナログ放送受信機、デジタル放送を受信可能なデジタル放送受信機、アナログ放送とデジタル放送との双方を受信可能なアナログ・デジタル放送受信機を含む。
【背景技術】
【０００２】
ＥＩＡ（Ｅｌｅｃｔｒｏｎｉｃ  Ｉｎｄｕｓｔｒｉｅｓ  Ａｌｌｉａｎｃｅ）のＥＩＡ−６０８規格で規定されるアナログ放送用のＥＩＡ−６０８は、ＮＴＳＣの垂直帰線期間（ＶＢＩ：Ｖｅｒｔｉｃａｌ  Ｂｌａｎｋｉｎｇ  Ｉｎｔｅｒｖａｌ）の２１本目を使用した視覚障害者向けの北米方式のアナログ用文字放送であり、選択できるサービスは、ＣＣ１，  ＣＣ２，  ＣＣ３，  ＣＣ４，  ＴＥＸＴ１，  ＴＥＸＴ２，  ＴＥＸＴ３，  ＴＥＸＴ４の最大８種類である。また、デジタル放送向けとして、新たに機能が補強されたＥＩＡ−７０８規格が規定され、選択できるサービスの数が最大６３種類と大幅に増加している。
【０００３】
また、ＥＩＡ−７０８規格では最低６つのサービスの切り替え、また、ＥＩＡ−６０８では最低４つのサービスの切り替えが、北米では必須と規定されているので、それらの合計である（６＋４）個のサービスに絞って、メニューから選択するという切り替え形態を用いることが、アナログ・デジタル放送受信機では一般的である。
また、デジタル放送では、最大６３種類のサービスとなっているので、特許文献１の米国特許公報［ＵＳ  ６，３２０，６２１  Ｂ１］号の「ＭＥＴＨＯＤ  ＯＦ  ＳＥＬＥＣＴＩＮＧ  Ａ  ＤＩＧＩＴＡＬ  ＣＬＯＳＥＤ  ＣＡＰＴＩＯＮＩＮＧ  ＳＥＲＶＩＣＥ」では、ＥＩＡ−７０８規格のメニューによる選択方法に関する工夫も提案されている。
【特許文献１】米国特許公報［ＵＳ  ６，３２０，６２１  Ｂ１］号
【発明の開示】
【発明が解決しようとする課題】
【０００４】
実際の放送にあっては、Ｃｌｏｓｅｄ  Ｃａｐｔｉｏｎデータとしては、デジタル放送用のＥＩＡ−７０８規格準拠のサービスはまだ少なく、デジタル放送であっても送信することができるアナログ放送用のＥＩＡ−６０８規格準拠のサービスが主に放送されており、ＥＩＡ−７０８規格とＥＩＡ−６０８規格との双方のＣｌｏｓｅｄ  Ｃａｐｔｉｏｎデータのデコードが必要となっている。
【０００５】
また、ＥＩＡ−７０８規格では最低６サービス、ＥＩＡ−６０８規格では最低４サービスの切り替えが北米では必須であり、ＥＩＡ−７０８規格とＥＩＡ−６０８規格との双方から選択する場合、合計最低１０サービスの中から切り替え選択が可能とならなければならない。この最低１０サービスをメニューで選択するようにすると、この１０サービス以外のサービスが放送されたときには選択することができないし、また、切り替え用としてトグル切り替えボタンを用いてＯＦＦも含めてサービスを順にトグル切り替えを行う場合には、例えば一つ前のサービスに切り替えるためには、最大１０回ボタンを押す必要があり、使い勝手が良くない。
【０００６】
本発明は、かかる事情に鑑みてなされたものであり、あらかじめ最低１０種類のサービスとして固定して選択するサービス切り替え手段を提供する代わりに、ＥＩＡ−７０８規格とＥＩＡ−６０８規格との双方で、現在放送されているサービスをそれぞれ判定し、サービス切り替え手段としては、現在放送されているサービスのみを用いて、該サービスの中から任意のサービスを選択できるようにし、より使い勝手の良いＣｌｏｓｅｄ  Ｃａｐｔｉｏｎ切り替えインターフェースを提供することを目的としている。
【課題を解決するための手段】
【０００７】
上記課題を解決するために、以下のような技術手段から構成されている。
第１の技術手段は、アナログ放送を受信可能な放送受信機において、ＥＩＡ−６０８規格準拠のＥＩＡ−６０８Ｃｌｏｓｅｄ  Ｃａｐｔｉｏｎ（以下、ＥＩＡ−６０８ＣＣと略す）のデータをアナログ放送信号の垂直帰線期間（ＶＢＩ）から抽出するＥＩＡ−６０８ＣＣデータ抽出手段と、抽出したＥＩＡ−６０８ＣＣデータをデコードするＥＩＡ−６０８ＣＣデコード手段と、デコードしたＥＩＡ−６０８ＣＣデータに含まれているサービスを特定するサービスコードを判別して、現在放送されているＥＩＡ−６０８の各サービスを判定して登録するサービス判定手段と、該サービス判定手段により判定され、登録された現在放送されているＥＩＡ−６０８の各サービスのみを用いて、該サービスのいずれかを選択して切り替えるサービス切り替え手段とを備えていることを特徴とする。
【０００８】
第２の技術手段は、前記第１の技術手段に記載の放送受信機において、前記サービス判定手段が、現在放送されているＥＩＡ−６０８の各サービスを判定して登録する際に、デコードしたＥＩＡ−６０８ＣＣデータに含まれている前記サービスコードのみならず、デコードしたＥＩＡ−６０８ＣＣデータの中に描画すべきデータが含まれているか否かを判別し、描画すべきデータが含まれている場合には、現在放送されているサービスとして判定して登録することを特徴とする。
【０００９】
第３の技術手段は、デジタル放送を受信可能な放送受信機において、ＥＩＡ−７０８規格準拠のＥＩＡ−７０８Ｃｌｏｓｅｄ  Ｃａｐｔｉｏｎ（以下、ＥＩＡ−７０８ＣＣと略す）のデータをデジタル放送信号のトランスポートストリームから抽出するＥＩＡ−７０８ＣＣデータ抽出手段と、抽出したＥＩＡ−７０８ＣＣデータをデコードするＥＩＡ−７０８ＣＣデコード手段と、デコードしたＥＩＡ−７０８ＣＣデータに含まれているサービスパケットを抽出し、該サービスパケットのサービス情報を判別して、現在放送されているＥＩＡ−７０８の各サービスを判定して登録するサービス判定手段と、該サービス判定手段により判定され、登録された現在放送されているＥＩＡ−７０８の各サービスのみを用いて、該サービスのいずれかを選択して切り替えるサービス切り替え手段とを備えていることを特徴とする。
【００１０】
第４の技術手段は、前記第３の技術手段に記載の放送受信機において、前記サービス判定手段が、現在放送されているＥＩＡ−７０８の各サービスを判定して登録する際に、デコードしたＥＩＡ−７０８ＣＣデータに含まれている前記サービスパケットのサービス情報のみならず、デコードしたＥＩＡ−７０８ＣＣデータの中に描画すべきデータが含まれているか否かを判別し、描画すべきデータが含まれている場合には、現在放送されているサービスとして判定して登録することを特徴とする。
【００１１】
第５の技術手段は、アナログ放送とデジタル放送との双方を受信可能な放送受信機において、ＥＩＡ−６０８規格準拠のＥＩＡ−６０８Ｃｌｏｓｅｄ  Ｃａｐｔｉｏｎ（以下、ＥＩＡ−６０８ＣＣと略す）のデータをアナログ放送信号の垂直帰線期間（ＶＢＩ）から、あるいは、デジタル放送信号のトランスポートストリームから抽出するＥＩＡ−６０８ＣＣデータ抽出手段と、抽出したＥＩＡ−６０８ＣＣデータをデコードするＥＩＡ−６０８ＣＣデコード手段と、ＥＩＡ−７０８規格準拠のＥＩＡ−７０８Ｃｌｏｓｅｄ  Ｃａｐｔｉｏｎ（以下、ＥＩＡ−７０８ＣＣと略す）のデータをデジタル放送信号のトランスポートストリームから抽出するＥＩＡ−７０８ＣＣデータ抽出手段と、抽出したＥＩＡ−７０８ＣＣデータをデコードするＥＩＡ−７０８ＣＣデコード手段と、デコードしたＥＩＡ−６０８ＣＣデータに含まれているサービスを特定するサービスコードを判別して、また、デコードしたＥＩＡ−７０８ＣＣデータに含まれているサービスパケットを抽出し、該サービスパケットのサービス情報を判別して、現在放送されているＥＩＡ−６０８の各サービスと現在放送されているＥＩＡ−７０８の各サービスとを判定して登録する、サービス判定手段と、該サービス判定手段により判定され、登録された現在放送されているＥＩＡ−６０８の各サービスとＥＩＡ−７０８の各サービスのみを用いて、該サービスのいずれかを選択して切り替えるサービス切り替え手段とを備えていることを特徴とする。
【００１２】
第６の技術手段は、前記第５の技術手段に記載の放送受信機において、前記サービス判定手段が、現在放送されているＥＩＡ−６０８の各サービスと現在放送されているＥＩＡ−７０８の各サービスとを判定して登録する際に、デコードしたＥＩＡ−６０８ＣＣデータに含まれている前記サービスコードのみならず、デコードしたＥＩＡ−６０８ＣＣデータの中に描画すべきデータが含まれているか否かを判別し、また、デコードしたＥＩＡ−７０８ＣＣデータに含まれている前記サービスパケットのサービス情報のみならず、デコードしたＥＩＡ−７０８ＣＣデータの中に描画すべきデータが含まれているか否かを判別し、描画すべきデータが含まれている場合には、現在放送されているサービスとして判定して登録することを特徴とする。
【００１３】
第７の技術手段は、前記第５又は第６の技術手段に記載の放送受信機において、アナログ放送とデジタル放送とを切り替える放送切り替え手段と、前記サービス判定手段により登録された現在放送されているアナログ放送用のＥＩＡ−６０８の各サービスとデジタル放送用のＥＩＡ−７０８の各サービスとのそれぞれの中から、前記サービス切り替え手段により現在選択中のサービスに最も近いＥＩＡ−６０８のサービスとＥＩＡ−７０８のサービスとをそれぞれ判別し取得するサービス取得手段とを備え、前記放送切り替え手段によりアナログ放送とデジタル放送との間の切り替えがなされた際に、切り替えたアナログ放送又はデジタル放送に適用されるアナログ放送用のＥＩＡ−６０８の各サービス又はデジタル放送用のＥＩＡ−７０８の各サービスのいずれかのうち、前記サービス取得手段により取得された前記現在選択中のサービスに最も近いサービスに切り替えることを特徴とする。
【００１４】
第８の技術手段は、前記第１乃至第７の技術手段のいずれかに記載の放送受信機において、前記サービス切り替え手段として、順番に切り替えていく切り替え構造からなるトグル切り替えボタンを用いていることを特徴とする。
【００１５】
第９の技術手段は、前記第１乃至第８の技術手段のいずれかに記載の放送受信機において、放送されていたサービスが放送されなくなって消失した状態に移行したことを判別するサービス消失判別手段を備え、放送されなくなって消失したと判別されたサービスを、前記サービス判定手段により登録されていた現在放送されているサービスから削除することを特徴とする。
【００１６】
第１０の技術手段は、前記第１乃至８の技術手段のいずれかに記載の放送受信機において、放送されていたサービスが放送されなくなって消失した状態に移行したことを判別するサービス消失判別手段と、前記サービス判定手段により登録された現在放送されている各サービスの中から、前記サービス切り替え手段により現在選択中のサービスに最も近いサービスを判別して取得する近似サービス判定手段とを備え、前記サービス消失判別手段において前記現在選択中のサービスが放送されなくなって消失したことを判別した際に、前記近似サービス判定手段により取得された最も近いサービスに切り替えることを特徴とする。
【００１７】
第１１の技術手段は、前記第１０の技術手段に記載の放送受信機において、放送されなくなった前記現在選択中のサービスが復活して放送が再開された場合、前記近似サービス判定手段により取得された最も近いサービスに切り替えられていた状態から、再開された前記現在選択中のサービスに自動的に切り戻すことを特徴とする。
【００１８】
第１２の技術手段は、前記第１０又は第１１の技術手段に記載の放送受信機において、前記サービス判定手段により登録された各サービスについてＣｌｏｓｅｄ  ＣａｐｔｉｏｎのサービスとＴＥＸＴのサービスとのいずれのサービス種別かを判別するサービス種別判別手段を備え、前記近似サービス判定手段が、現在選択中のサービスに最も近いサービスを判別して取得する際に、現在選択中のサービスがＣｌｏｓｅｄ  Ｃａｐｔｉｏｎのサービスであった場合には、前記サービス種別判別手段により判別されたＣｌｏｓｅｄ  Ｃａｐｔｉｏｎのサービスの中からのみ最も近いサービスを判別し、現在選択中のサービスがＴＥＸＴのサービスであった場合には、前記サービス種別判別手段により判別されたＴＥＸＴのサービスの中からのみ最も近いサービスを判別することを特徴とする。
【００１９】
第１３の技術手段は、前記第１２の技術手段に記載の放送受信機において、前記近似サービス判定手段が、現在選択中のサービスに最も近いサービスを判別して取得する際に、現在選択中のサービスと同じサービス種別のサービスが全て放送されなくなって消失してしまっている状態にあった場合、消失してしまったサービスの中から、現在選択中のサービスに最も近いサービスを判別して一時的に取得することを特徴とする。
【００２０】
第１４の技術手段は、前記第１３の技術手段に記載の放送受信機において、消失してしまったサービスの中から前記近似サービス判定手段により一時的に取得された最も近いサービスに切り替えられていた状態にあった場合に、放送されなくなった前記現在選択中のサービスが再開された場合、あるいは、放送されなくなった前記現在選択中のサービスと同じサービス種別のサービスの放送が開始された場合、前記近似サービス判定手段により一時的に取得された最も近いサービスに切り替えられていた状態から、再開された前記現在選択中のサービスあるいは開始された前記同じサービス種別のサービスに自動的に切り替えることを特徴とする。
【００２１】
第１５の技術手段は、前記第９乃至第１４の技術手段のいずれかに記載の放送受信機において、前記サービス消失判別手段は、放送チャンネルの選局の変更又は放送以外の入力への切り替えの操作を判別した場合、あるいは、放送が停止されたことを判別した場合、あるいは、番組情報による開始時刻又は終了時刻の到達により番組が変更されたことを判別した場合、あるいは、サービスが予め定めた一定期間の間放送されていないことを判別した場合、サービスが放送されなくなって消失したものと判別することを特徴とする。
【００２２】
第１６の技術手段は、前記第１乃至第１５の技術手段のいずれかに記載の放送受信機において、少なくとも、前記サービス判定手段により登録された現在放送されている各サービスのサービス名及び／又は当該サービスが使用する言語情報と、現在放送されている各サービスのうち、前記サービス切り替え手段により現在選択中のサービスを示す情報とを表示することを特徴とする。
【００２３】
第１７の技術手段は、第１乃至第１５の技術手段のいずれかに記載の放送受信機において、少なくとも、現在放送されている各サービスのうち、前記サービス切り替え手段により現在選択中のサービスのサービス名及び／又は当該サービスが使用する言語情報を表示することを特徴とする。
【００２４】
第１８の技術手段は、前記第１６又は第１７の技術手段に記載の放送受信機において、更に、前記サービス判定手段により登録された現在放送されているサービスの合計数をも表示することを特徴とする。
【００２５】
第１９の技術手段は、前記第１６乃至第１８の技術手段のいずれかに記載の放送受信機において、更に、前記サービス切り替え手段としてトグル切り替えボタンを用いる場合に備えて、該トグル切り替えボタンのサービスの切り替え順番を表示することを特徴とする。
【００２６】
第２０の技術手段は、前記第１６乃至第１９の技術手段のいずれかに記載の放送受信機において、更に、現在選択中のサービスとして表示されているサービスが、前記サービス切り替え手段により現在選択中のサービスではなく、該現在選択中のサービスに最も近いサービスに切り替えられている場合に備えて、前記サービス切り替え手段により現在選択中のサービスではなく、前記最も近いサービスに切り替えられていることを示す識別表示を表示することができることを特徴とする。
【００２７】
第２１の技術手段は、前記第２０の技術手段に記載の放送受信機において、前記最も近いサービスに切り替えられている状態から、前記サービス切り替え手段により前記現在選択中のサービスの状態に切り戻された場合に、前記最も近いサービスに切り替えられていることを示す前記識別表示を削除して表示することを特徴とする。
【発明の効果】
【００２８】
以上のような各技術手段のいずれかから構成される本発明によれば、以下のような効果が齎される。
現在放送されているサービスを判別し、現在放送されている有効なサービスのみを用いて、該有効なサービスの中から任意のサービスを選択して切り替えるようにすることにより、使い勝手の良いユーザインターフェースをユーザへ提供することが可能となり、ユーザに対して、より良いＣｌｏｓｅｄ  Ｃａｐｔｉｏｎ切り替え手段を提供することができる。
【００２９】
また、現在放送されている有効なサービスを判別する際に、Ｃｌｏｓｅｄ  Ｃａｐｔｉｏｎのサービス種別を示すサービスコードやサービス情報のみならず、Ｃｌｏｓｅｄ  Ｃａｐｔｉｏｎデータを描画すべき有効なデータが受信されているか否かも判別可能としているので、更に使い勝手の良いユーザインターフェースをユーザへ提供することができる。
【００３０】
更に、アナログ放送用とデジタル放送用との間で、現在選択中のサービスを最も近いサービスに切り替えることも、アナログ放送とデジタル放送との切り替えと同じ仕組みで可能としており、更に使い勝手の良いユーザインターフェースをユーザへ提供することができる。
【００３１】
また、ユーザが選局チャンネルを切り替えたり、あるいは、放送が停止して放送同期信号が検出できなくなったり、あるいは、予約番組の開始時刻や終了時刻により放送番組が切り替わったり、あるいは、ビデオ装置など放送以外の入力機器からの入力に切り替えたり、あるいは、今まで設定されていて放送されていたサービスがあらかじめ定めた一定期間以上に及んで受信できなくなったりした場合に、放送されなくなって消失したサービスであるものとして、自動的に登録を削除してしまうことが可能であり、実際に選択してＣｌｏｓｅｄ  Ｃａｐｔｉｏｎ表示をすることが可能なサービスのみをユーザに選択可能とする使い勝手の良いユーザインターフェースをユーザへ提供することができる。
【００３２】
また、サービスを現在放送されている有効なサービスのみに限定して、ユーザに選択させることを可能としているので、サービスの切り替え手段として、例えば、リーズナブルな選択段数で構成可能なトグル切り替えボタンを用いることも可能となり、１個のボタンのみで簡単に所望のサービスに切り替えることが可能であり、操作性の向上のみならず、操作パネルのスペースの節約も可能となる。
【００３３】
更に、選択中のサービスが放送されなくなった後であっても、該サービスに最も近い別のサービスに切り替えることが可能であり、Ｃｌｏｓｅｄ  Ｃａｐｔｉｏｎデータを継続して視聴することができる。また、放送されなくなったサービスに最も近い別のサービスに切り替えて継続して視聴している状態であっても、先に選択していたサービスの放送が再開された場合、自動的に、再開されたサービスに復帰させるように切り替えることも可能であり、使い勝手の良いユーザインターフェースをユーザへ提供することができる。
【００３４】
更に、Ｃｌｏｓｅｄ  ＣａｐｔｉｏｎのサービスとＴＥＸＴサービスとをまたがるサービスの切り替えを自動的には実施させないようにすることも可能であり、突然、画面表示形態が切り替わってしまうことを防止することができ、画面表示上、ユーザへのサービス性を向上することができる。
【００３５】
また、現在放送されている選択可能なサービスの一覧や現在選択中のサービスを画面表示させることが可能であり、ユーザがサービスの選択状況を容易に確認することができ、使い勝手の良いユーザインターフェースをユーザへ提供することができる。
【００３６】
更に、現在放送されているサービスの合計数や、トグル切り替えボタンを用いてサービスの切り替えを行う場合のトグル切り替え順序を表示することも可能であり、更に使い勝手の良いユーザインターフェースをユーザへ提供することができる。
【００３７】
更に、放送されなくなったサービスに最も近い別のサービスに切り替えて表示している場合などのように、ユーザが選択したサービスではないサービスでＣｌｏｓｅｄ  Ｃａｐｔｉｏｎ表示がされている場合、このようなサービスは、一時的なサービス設定状態であることがユーザに簡単に判るように表示することが可能であり、使い勝手の良いユーザインターフェースをユーザへ提供することができる。
【発明を実施するための最良の形態】
【００３８】
本発明によるアナログ・デジタル放送受信機の実施形態の一例を、以下に図面を参照しながら説明する。本発明による放送受信機は、アナログ放送のみを受信可能なアナログ放送受信機、デジタル放送のみを受信可能なデジタル放送受信機、アナログ放送とデジタル放送との双方を受信可能なアナログ・デジタル放送受信機を含むものであるが、以下の説明においては、アナログ放送とデジタル放送との双方を受信可能なアナログ・デジタル放送受信機を例にとって説明する。
【００３９】
図１に、本発明によるアナログ・デジタル放送受信機の一実施形態例である機能ブロック図を示している。図１に示すアナログ・デジタル放送受信機２０において、１はリモコンを、２はリモコン受光部などのインターフェース（以下、Ｉ／Ｏと称す）を、３は放送による受信データや受信機固有のデータを電源オフの状態でも保持するための書き換え可能な不揮発性メモリ（以下、ＮＶＲＡＭと称す：Ｎｏｎ−Ｖｅｒｓａｔｉｌｅ  ＲＡＭ）を、４は当該アナログ・デジタル放送受信機２０全体の動作を制御するマイクロプロセッサ（以下、ＣＰＵと称す）を、５は当該アナログ・デジタル放送受信機２０の制御用のプログラムを動作させるためのワークメモリ及び各種データを保管、読み出すためのＲＡＭメモリ（以下、主メモリと称す）を、６はＣＰＵ４を動作させるための制御用のプログラムを格納するためのプログラムメモリを、７はシステムバスを示している。
【００４０】
更に、図１に示すアナログ・デジタル放送受信機２０において、８は受信したデジタル電波（デジタルＲＦ）信号を復調するためのデジタルチューナを、９はデジタル電波（デジタルＲＦ）信号として多重化して伝送されてきたトランスポートストリーム（ＴＳ：Ｔｒａｎｓｐｏｒｔ  Ｓｔｒｅａｍ）をデコードして指定した番組のそれぞれの映像、音声、番組情報、付加データ（Ｃｌｏｓｅｄ  Ｃａｐｔｉｏｎデータを含む）などの信号に分離して抽出するための分離回路（以下、ＤＥＭＵＸと称す）を、１０は前記付加データを受け、デジタル放送用のＥＩＡ−７０８規格準拠のＣｌｏｓｅｄ  Ｃａｐｔｉｏｎ（以下、ＣＣと略記することもある）データをデコード処理するＥＩＡ−７０８規格準拠のデコーダ（以下、ＥＩＡ−７０８ＣＣデコーダと称す）を、１１はメニューやＣｌｏｓｅｄ  ＣａｐｔｉｏｎデータなどをＯＳＤＩＣ（Ｏｎ  Ｓｃｒｅｅｎ  Ｄｉｓｐｌａｙ  ＩＣ：オンスクリーンディスプレイＩＣ）などによりオンスクリーン画面表示するための提示装置即ち表示装置（以下、ＯＳＤと称す）を示している。
【００４１】
更に、図１に示すアナログ・デジタル放送受信機２０において、１２は受信したアナログ電波（アナログＲＦ）信号を復調するためのアナログチューナを、１３はアナログチューナ１２から出力されるＮＴＳＣ信号の垂直帰線期間（ＶＢＩ）の２１ライン目にあるＥＩＡ−６０８規格準拠のＣｌｏｓｅｄ  Ｃａｐｔｉｏｎデータを取り出すＶＢＩスライサを、１４はアナログ放送用のＥＩＡ−６０８規格準拠のＣｌｏｓｅｄ  Ｃａｐｔｉｏｎデータをデコード処理するＥＩＡ−６０８規格準拠のデコーダ（以下、ＥＩＡ−６０８ＣＣデコーダと称す）を示している。
【００４２】
以下、図１に示すアナログ・デジタル放送受信機２０の動作について説明する。前述のように、ＣＰＵ４は制御用のプログラムを動作させてアナログ・デジタル放送受信機２０の全体の制御をしており、ＣＰＵ４で実行するプログラムはプログラムメモリ６に格納されている。また、ＮＶＲＡＭ３は書き換え可能な不揮発性メモリであり、電源オフ状態であってもデータを保持することが可能なデータ保持用として使用される。ＮＶＲＡＭ３は、例えばデジタルチューナ８やアナログチューナ１２のチャンネル情報などのように、電源オフにされても保持する必要のあるデータを記憶している。
【００４３】
ユーザの操作結果として、リモコン１から赤外線が発せられると、該赤外線はＩ／Ｏ２にて受光されて、ＣＰＵ４にシステムバス７を介してユーザからの指示情報として伝えられる。そして、以降、リモコン１のボタンをユーザが押すことにより、例えばデジタル放送とアナログ放送との切り替えや選局の指示が行われることになる。
【００４４】
デジタル放送の視聴時は、受信されたデジタルＲＦ信号がデジタルチューナ８にて復調され、復調されたトランスポートストリーム（ＴＳ）の信号はＤＥＭＵＸ９にて映像、音声、番組情報、付加データなどのストリームに分離される。そして、その中から、ＥＩＡ−７０８Ｃｌｏｓｅｄ  Ｃａｐｔｉｏｎのデータが、ＥＩＡ−７０８ＣＣデコーダ１０に渡される。また、デジタル信号には、ＥＩＡ−６０８Ｃｌｏｓｅｄ  Ｃａｐｔｉｏｎのデータも含まれている場合があるので、その場合には、ＥＩＡ−６０８Ｃｌｏｓｅｄ  ＣａｐｔｉｏｎのデータはＥＩＡ−６０８ＣＣデコーダ１４に渡される。ＥＩＡ−７０８ＣＣデコーダ１０又はＥＩＡ−６０８ＣＣデコーダ１４により、それぞれ、ＥＩＡ−７０８Ｃｌｏｓｅｄ  Ｃａｐｔｉｏｎのデータ又はＥＩＡ−６０８ＥＩＡ−７０８Ｃｌｏｓｅｄ  Ｃａｐｔｉｏｎのデータがデコードされて、受信コマンドに基づいて生成されたウィンドウ枠と該ウィンドウ枠内に埋め込まれたテキストとがＯＳＤ１１に引き渡されて、ＯＳＤ１１によりオンスクリーン画面表示される。
【００４５】
また、アナログ放送の視聴時は、受信されたアナログＲＦ信号がアナログチューナ１２にて復調され、ＶＢＩスライサ１３にて復調されたＮＴＳＣ信号の垂直帰線期間（ＶＢＩ）の２１ライン目からＥＩＡ−６０８Ｃｌｏｓｅｄ  Ｃａｐｔｉｏｎのデータが取り出され、ＥＩＡ−６０８ＣＣデコーダ１４に渡される。ＥＩＡ−６０８ＣＣデコーダ１４によりＥＩＡ−６０８Ｃｌｏｓｅｄ  Ｃａｐｔｉｏｎのデータがデコードされて、受信コマンドに基づいて生成されたウィンドウ枠と該ウィンドウ枠内に埋め込まれたテキストとがＯＳＤ１１に引き渡されて、ＯＳＤ１１によりオンスクリーン画面表示される。
【００４６】
次に、アナログ放送用のＥＩＡ−６０８ＣＣデコーダ１０内の処理概略例について図２を用いて説明する。図２は、図１に示したＥＩＡ−６０８ＣＣデコーダ１４内のブロック構成の一例を示す機能ブロック図である。
【００４７】
まず、図２に示すＥＩＡ−６０８ＣＣデコーダ１４において、デコード部１４１にてＥＩＡ−６０８規格のペアコードである２バイトが処理されてコマンドとして解釈されると同時に、サービス判定部１４５において、サービスを特定するサービスコードを判別してサービスの判定が行われる。コマンドとして解釈されたペアコードの２バイトは、サービス判定部１４５におけるサービス判定結果に応じて、順次コマンド実行部１４２に引き渡されて、コマンドとして実行され、ウィンドウ管理部１４３で、管理されているＣｌｏｓｅｄ  Ｃａｐｔｉｏｎデータ表示用ウィンドウの管理状態（表示文字フォントや文字サイズやウィンドウサイズやウィンドウ背景色など）が変更されていく。
【００４８】
そして、描画処理部１４４にて、ウィンドウの変更された管理状態に応じて描画されたウィンドウ枠にＣｌｏｓｅｄ  Ｃａｐｔｉｏｎデータの文字列が描画され、ＯＳＤ出力として、図１に示すＯＳＤ１１に対して出力され、オンスクリーン画面表示されるという流れになっている。
【００４９】
また、規格やデコード処理内容は全く違うものの、デジタル放送用のＥＩＡ−７０８ＣＣデコーダ１０の場合でも、ＥＩＡ−６０８ＣＣデコーダ１４と同じような回路ブロックにより図３のように構成されて、同様に処理が行われる。図３は、図１に示したＥＩＡ−７０８ＣＣデコーダ１０内のブロック構成の一例を示す機能ブロック図であり、図２のＥＩＡ−６０８ＣＣデコーダ１４と同様に、デコード部１０１、コマンド実行部１０２、ウィンドウ管理部１０３、描画処理部１０４及びサービス判定部１０５の各回路ブロックを備えて構成されている。
【００５０】
次に、図２のＥＩＡ−６０８ＣＣデコーダ１４のサービス判定部１４５の動作の一例について、即ち、アナログ放送用のＥＩＡ−６０８規格のサービス判定の一例について説明する。
【００５１】
図４の表は、ＥＩＡ−６０８規格のサービスを判定するためのＥＩＡ−６０８コード表の一例を示す構成図であり、ＥＩＡ−６０８規格のフィールド１として放送されているデータについて、各サービスコードに基づいてサービスの判定を行うための判定表である。ＥＩＡ−６０８でのサービスの判定は、図２に示すサービス判定部１４５において、デコード部１４１によりデコードされたデータの中から、図４に示すサービスを特定するこれらのサービスコードが受信されたか否かにより行う。例えば、図４に示す判定表に示すように、「１４」、「２０」の１６進のペアコード（２バイトコード）は、ＥＩＡ−６０８規格のＣＣ１（Ｃｌｏｓｅｄ  Ｃａｐｔｉｏｎ１）というサービスにおける「ＲＣＬ」というコマンドであり、サービス判定部１４５では、ＣＣ１のサービスであると判定して、コマンド実行部１４２において、ＣＣ１のサービスにおけるポップオン表示モードとして、続行する字幕を１文字ずつ順次ローディングすることを指示するコマンドが実行される。
【００５２】
なお、ＥＩＡ−６０８規格のフィールド２として放送されるデータについても、同様に判定され、図４に示す判定表において、各サービスを、それぞれ、ＣＣ１→ＣＣ３、ＣＣ２→ＣＣ４、ＴＥＸＴ１→ＴＥＸＴ３、ＴＥＸＴ２→ＴＥＸＴ４と置き換えて、サービスを判別することが可能とされている。
【００５３】
図４に示すように、例えば、「１４」、「２０」のペアコード（サービスＣＣ１のコマンド「ＲＣＬ」）と「１Ｃ」、「２Ａ」のペアコード（サービスＴＥＸＴ２のコマンド「ＴＲ」）とを受信した場合は、図５のように、サービス判定部１４５におけるサービス判定結果として、ＣＣ１とＴＥＸＴ２との２つのサービスが放送中であるということになる。即ち、切り替え対象のサービスとしては、現在放送されているＣＣ１とＴＥＸＴ２との２つのみで切り替えられることになる。従い、ユーザがサービスを切り替えるために操作するサービス切り替え用のボタンとして、トグル切り替えボタンを用いる場合は、現在放送されている２つのサービスのみを選択することができれば良く、ＯＦＦ→ＣＣ１→ＴＥＸＴ２→ＯＦＦと３つのモードに切り替えるトグル切り替えボタンとして構成すれば良いことになる。この場合、サービスの切り替え手段として１個のトグル切り替えボタンのみで簡単に所望のサービスに切り替えることが可能となり、操作性の向上のみならず、操作パネルのスペースの節約も可能となる。
【００５４】
ここに、図５は、アナログ放送用のＥＩＡ−６０８規格のサービス判定結果を設定登録するサービス登録表の一例を示す構成図であり、放送中のサービスとして「ＣＣ１」と「ＴＥＸＴ２」とが登録され、その他のサービスは未登録を示す「×」印が付されている。また、トグル切り替え順序を示す「インデックス」として、サービス「ＣＣ１」が「１」、サービス「ＴＥＸＴ２」が「２」に設定されている。
【００５５】
なお、ユーザがサービスを切り替える切り替え手段（即ちサービス切り替え手段）としては、順番にサービスを切り替えていく切り替え構造からなるトグル切り替えボタンのみに限らず、例えば、上下左右キー（必要に応じて決定ボタンの組み合わせ）などであっても良いし、あるいは、直接任意のサービスを選択可能な複数のボタンで構成しても良いし、あるいは、画面上のカーソルを用いて選択するようにしても良く、如何なる切り替え手段を用いても良い。
【００５６】
また、サービス判定部１４５においては、前述のように、受信したペアコード（２バイトコード）により、サービスを特定するサービスコードを判別してサービスを判定して図５のサービス登録表に登録するのみでなく、図６のフローチャートに示すように、受信したペアコード（２バイトコード）が、サービスの切り替え指示をするサービス切り替え制御コードや文字コード又は空白（スペース）の付加を指示する空白付加制御コードか否かを判定し、デコード中のサービスを受信したサービスに設定すると共に、図５のサービス登録表に登録する処理を行うようにしても良い。図６は、アナログ放送用のＥＩＡ−６０８規格の受信サービスを判定する処理の一例を示すフローチャートである。
【００５７】
図６のフローチャートにおいて、まず、例えばアナログ放送信号の垂直帰線期間（ＶＢＩ）の第２１ライン目から抽出されたＥＩＡ−６０８Ｃｌｏｓｅｄ  Ｃａｐｔｉｏｎ（ＥＩＡ−６０８ＣＣ）のデータから２バイトのペアコードを受信したら（ステップＳ１）、該ペアコードが、サービスの切り替え指示をするサービス切り替え制御コードであるか否かをチェックし（ステップＳ２）、サービス切り替え制御コードであった場合（ステップＳ２のＹＥＳ）、デコード中のサービスを切り替え指示があったサービスに切り替えて設定すると共に、図５のサービス登録表に登録する（ステップＳ５）。
【００５８】
一方、サービス切り替え制御コードでなかった場合（ステップＳ２のＮＯ）、受信したペアコード（２バイトコード）が、描画処理を要する文字コード又は空白（スペース）の付加を指示する空白付加制御コードであるか否かをチェックし（ステップＳ３）、描画処理が発生する文字コード又は空白付加制御コードを受け取った場合（ステップＳ３のＹＥＳ）、文字コードを描画したり又は空白（スペース）を付加する描画処理を行うために、デコード中のサービスを受信したサービスに設定するようにすると共に、図５のサービス登録表に登録する（ステップＳ４）。この結果、データは送られてきているにも関わらず、実際に画面上にオンスクリーン表示することがないようなサービスをはじくことが可能となり、サービス判定処理として、より良いサービスを提供することができる。
【００５９】
また、ユーザが、放送信号の受信用チャンネルを切り替える選局操作をしたり、放送信号の受信の代わりにビデオ装置やその他の放送以外の入力などに切り替えたりした場合や、ＮＴＳＣの同期信号の判別結果などにより放送が停止してしまったことを検出した場合や、ＸＤＳ（Ｅｘｔｅｎｄｅｄ  Ｄａｔａ  Ｓｅｒｖｉｃｅｓ：ＶＢＩ信号に重畳される番組付加情報）に含まれる番組の開始時刻や終了時刻などの情報により、時間帯が次の放送番組に変わったと判断された場合、などにおいては、サービスが放送されなくなって消失してしまったものと判別して（即ちサービス消失判別手段を提供している）、今まで放送中にあるものとして設定登録されていたサービスをリセット（削除）することも可能としている。なお、放送番組が変わったことを判断する際に、前述のＸＤＳの情報のみならず、ＶＢＩ信号に重畳されているサービスなど番組に関連する情報、あるいは、インターネットからの番組情報を用いて、放送番組が変わったことを判断することも可能である。
【００６０】
更に、図７に示すフローチャートのように、ペアコード（２バイトコード）として、サービス切り替え制御コードや描画処理が発生する文字コード又は空白付加制御コードサービスを受け取った際に、サービス毎に、次の当該サービスの受信が予め定めた一定時限までになされない場合にタイムアウトするタイマを起動し、タイムアウトしたときに、当該サービスは放送されなくなって消失したものとして、現在まで放送中にあるものとして設定登録されているサービスをリセット（削除）するようにしても良い。これにより、ユーザに対して、実際に放送されているサービスにより近いサービスの有無を判定し直すための契機を与えることもできる。図７は、アナログ放送用のＥＩＡ−６０８規格の受信サービスを判定する処理の他の例を示すフローチャートであり、設定登録されていたサービスがタイムアウトにより消失する場合の処理の一例を示すものである。
【００６１】
図７のフローチャートにおいて、まず、例えばアナログ放送信号の垂直帰線期間（ＶＢＩ）の第２１ライン目から抽出されたＥＩＡ−６０８Ｃｌｏｓｅｄ  Ｃａｐｔｉｏｎ（ＥＩＡ−６０８ＣＣ）のデータから２バイトのペアコードを受信したら（ステップＳ１１）、該ペアコードが、サービスの切り替え指示をするサービス切り替え制御コードであるか否かをチェックし（ステップＳ１２）、サービス切り替え制御コードであった場合（ステップＳ１２のＹＥＳ）、デコード中のサービスを切り替え指示があったサービスに切り替えて設定すると共に、図５のサービス登録表に登録する（ステップＳ１５）。
【００６２】
一方、サービス切り替え制御コードでなかった場合（ステップＳ１２のＮＯ）、受信したペアコード（２バイトコード）が、描画処理を要する文字コード又は空白付加制御コードであるか否かをチェックし（ステップＳ１３）、描画処理が発生する文字コード又は空白付加制御コードを受け取った場合（ステップＳ１３のＹＥＳ）、文字コードを描画したり又は空白（スペース）を付加する描画処理を行うために、デコード中のサービスを受信したサービスに設定するようにすると共に、図５のサービス登録表に登録する（ステップＳ１４）。更に、デコードに用いるサービス毎に、タイムアウト値を設定してタイマを起動する（ステップＳ１６）。この結果、タイマがタイムアウトしたときには、予め定めた或る一定期間の間、当該サービスが全く放送されていない状態にあるものと判定し、現在設定登録されているサービスが放送されなくなったものとして、該サービスを図５のサービス登録表からリセット（削除）することが可能となり、サービス判定処理として、実際に放送されているサービスにより近いサービスの有無をユーザが判定する契機を与えることができる。
【００６３】
次に、図３のＥＩＡ−７０８ＣＣデコーダ１０のサービス判定部１０５の動作の一例について説明する。デジタル放送用のＥＩＡ−７０８規格においては、ＰＭＴ（Ｐｒｏｇｒａｍ  Ｍａｐ  Ｔａｂｌｅ）及び／又はＥＩＴ（Ｅｖｅｎｔ Ｉｎｆｏｒｍａｔｉｏｎ Ｔａｂｌｅ）のｃａｐｔｉｏｎ  ｓｅｒｖｉｃｅ  ｄｅｓｃｒｉｐｔｏｒに、現在放送されているサービス情報を記述するディスクリプタがあるが、実際の放送では、該ディスクリプタにサービス情報が記述されていたとしても、実際には、当該サービスが放送されていないといった場合も存在している。更に、現在放送されているＣｌｏｓｅｄ  Ｃａｐｔｉｏｎのサービス情報を格納しているサービスパケット（即ちサービスブロック）があり、該サービスパケットは、デジタル放送信号のトランスポートストリームのＰｉｃｔｕｒｅ  Ｕｓｅｒ  Ｄａｔａ  Ｅｘｔｅｎｓｉｏｎという領域（以下、ユーザデータと称する）の中にあるＣａｐｔｉｏｎ  Ｃｈａｎｎｅｌ  Ｐａｃｋｅｔ中に、例えば図８に例示するようにサービス毎に複数個収容されている。
【００６４】
図８は、ＥＩＡ−７０８サービスパケットの構成の一例を示す模式図であり、ＥＩＡ−７０８規格のサービス情報を格納している複数のサービスパケットからなるＣａｐｔｉｏｎ  Ｃｈａｎｎｅｌ  Ｐａｃｋｅｔの構成の一例として、サービス１とサービス４との２つのサービスをそれぞれ示す２つのサービスパケットが含まれている例を示している。
【００６５】
従って、図３に示すサービス判定部１０５において、ＥＩＡ−７０８規格のサービスを判定する場合、デコード部１０１によりデコードされたデータの中から、図８のＣａｐｔｉｏｎ  Ｃｈａｎｎｅｌ  Ｐａｃｋｅｔに収容されているサービスパケットの有無を判定することにより、放送されているサービスの有無を判定する。
即ち、図８に示すように、デコードしたＣａｐｔｉｏｎ  Ｃｈａｎｎｅｌ  Ｐａｃｋｅｔに収容されているサービスパケットの有無を判定し、サービスパケットが存在していた場合、その中に格納されているサービス情報を判別し、サービスを判定する。サービスの判定結果として、サービス１とサービス４とが含まれていることが判別されると、図９のように、判別されたサービスを示す位置にフラグを設定し、例えば、「１」と「４」との２つのサービスのみが現在放送されていると判断する。
【００６６】
図９は、ＥＩＡ−７０８規格のサービス判定結果を設定登録するサービス登録表の一例を示す構成図であり、放送中のサービスとして、サービス番号「１」と「４」とにフラグが設定されて登録され、残りの６１個のその他のサービスはフラグオフとして放送中ではない旨を示す「×」印が付されている。また、トグル切り替え順序を示す「インデックス」として、「サービス１」が「１」、「サービス４」が「２」に設定されている。即ち、図９の登録例においては、切り替え対象のサービスとしては、現在放送されている「サービス１」と「サービス４」との２つのみで切り替えられることになる。従い、ユーザがサービスを切り替えるために操作するサービス切り替え用のボタンとしてトグル切り替えボタンを用いる場合は、現在放送されている２つのサービスのみを選択することができれば良く、ＯＦＦ→Ｓｅｒｖｉｃｅ１→Ｓｅｒｖｉｃｅ４→ＯＦＦと３つのモードに切り替えるトグル切り替えボタンとして構成すれば良いことになる。
【００６７】
この場合、前述したＥＩＡ−６０８の場合と同様に、サービスの切り替え手段として１個のトグル切り替えボタンのみで簡単に所望のサービスに切り替えることが可能となり、操作性の向上のみならず、操作パネルのスペースの節約も可能となる。なお、ユーザがサービスを切り替える切り替え手段（即ちサービス切り替え手段）は、ＥＩＡ−７０８の場合でも、前述したＥＩＡ−６０８の場合と同様に、トグル切り替えボタンのみに限ることなく、如何なる手段を用いても良い。
【００６８】
また、サービスパケットの中から、文字コードを抽出したり、空白（スペース）を付加する制御コードを抽出したりすることにより、該サービスパケットにＣｌｏｓｅｄ  Ｃａｐｔｉｏｎデータとして有効なデータが格納されているか否かを判別し、Ｃｌｏｓｅｄ  Ｃａｐｔｉｏｎのデータとして描画処理を行うための有効なデータが格納されているサービスパケットであれば、該描画処理を伴うデータに対応するサービスのみを、実際に放送されて、描画処理してＣｌｏｓｅｄ  Ｃａｐｔｉｏｎデータとして画面表示するべき有効なサービスと判別して、現在放送されているサービスとして登録するようにしても良い。而して、描画処理を伴う有効なデータが格納されているサービスパケットのサービスのみを、図９のサービス登録表に登録して、切り替え対象のサービスとすることもできる。
【００６９】
また、ユーザが、放送信号の受信用チャンネルを切り替える選局操作をしたり、放送信号の受信の代わりにビデオ装置やその他の放送以外の入力などに切り替えたりした場合や、デジタル同期信号の判別結果などにより放送が停止してしまったことを検出した場合や、ＥＰＧ（Ｅｌｅｃｔｒｏｎｉｃ  Ｐｒｏｇｒａｍ  Ｇｕｉｄｅ：電子番組表）に含まれる番組の開始時刻や終了時刻などの情報により、時間帯が次の放送番組に変わったと判断された場合、などにおいては、サービスが放送されなくなって消失してしまったものと判別して（即ちサービス消失判別手段を提供している）、今まで放送中にあるものとして設定登録されていたサービスをリセット（削除）することも可能としている。なお、放送番組が変わったことを判断する際に、前述のＥＰＧの情報のみならず、デジタル放送信号に含まれているサービスなど番組に関連する情報、あるいは、インターネットからの番組情報などを用いて、放送番組が変わったことを判断することも可能である。
【００７０】
また、図７に示すアナログ放送用のＥＩＡ−６０８の場合と同様に、デジタル放送用のＥＩＡ−７０８の場合においても、文字コードなどを抜き出した場合において、デコードに用いるサービス毎に、次の当該サービスの受信が予め定めた一定期間までになされない場合にタイムアウトするタイマを設定し、タイマを起動するようにしても良い。この結果、タイムアウト値が示す一定期間の間、当該サービスとして描画すべきデータの受信がなく、タイムアウトが発生した場合、現在設定登録されている当該サービスは消失して放送されなくなったものとして、該サービスを図９のサービス登録表からリセット（削除）することが可能となり、サービス判定処理として、実際に放送されているサービスにより近いサービスの有無をユーザが判定する契機を与えることができる。
【００７１】
また、デジタル放送では、ＥＩＡ−７０８規格のデータのみならず、ＥＩＡ−６０８規格のデータも放送されてくる。ここで、図１に示すようなアナログ放送とデジタル放送との双方を受信可能なアナログ・デジタル放送受信機２０の場合に、ＥＩＡ−６０８規格のサービスとして、例えば、図５のＥＩＡ−６０８サービス登録表に示すように、「ＣＣ１」と「ＴＥＸＴ２」との２つのサービスが放送されている状態であり、一方、ＥＩＡ−７０８規格のサービスとして、例えば、図９のＥＩＡ−７０８サービス登録表に示すように、「サービス１」と「サービス４」との２つのサービスが放送されている状態であれば、ＥＩＡ−６０８サービスとＥＩＡ−７０８サービスとの双方を統合した統合サービス登録表として、例えば、図１０に例示するように管理し、「サービス１」、「サービス４」、「ＣＣ１」、「ＴＥＸＴ４」の４つのサービスのみを切り替えるように構成しても良い。
【００７２】
図１０は、ＥＩＡ−６０８規格とＥＩＡ−７０８規格との双方のサービス判定結果を設定登録する統合サービス登録表の一例を示す構成図であり、ＥＩＡ−７０８の放送中のサービスとして、「サービス１」と「サービス４」とにフラグが設定されて登録され、また、ＥＩＡ−６０８の放送中のサービスとして、「ＣＣ１」と「ＴＥＸＴ２」とにフラグが設定されて登録され、その他のサービスはフラグオフとして放送中ではない旨を示す「×」印が付されている。また、トグル切り替え順序を示す「インデックス」として、ＥＩＡ−７０８からＥＩＡ−６０８へと順次切り替えられるように構成しており、「サービス１」が「１」、「サービス４」が「２」、「ＣＣ１」が「３」、「ＴＥＸＴ２」が「４」に設定されている。
【００７３】
即ち、図１０の登録例においては、切り替え対象のサービスとしては、ＥＩＡ−７０８では現在放送されている「サービス１」と「サービス４」との２つ、ＥＩＡ−６０８では現在放送されている「ＣＣ１」と「ＴＥＸＴ２」との２つのみで切り替えられることになる。従い、ユーザがサービスを切り替えるために操作するサービス切り替え用のボタンとしてトグル切り替えボタンを用いる場合は、ＯＦＦ→Ｓｅｒｖｉｃｅ１→Ｓｅｒｖｉｃｅ４→ＣＣ１→ＴＥＸＴ２→ＯＦＦと５つのモードに切り替えるトグル切り替えボタンとして構成すれば良いことになる。
【００７４】
この場合、前述したＥＩＡ−６０８の場合と同様に、サービスの切り替え手段として１個のトグル切り替えボタンのみで簡単に所望のサービスに切り替えることが可能となり、操作性の向上のみならず、操作パネルのスペースの節約も可能となる。なお、ユーザがサービスを切り替える切り替え手段（即ちサービス切り替え手段）は、図１０のようなＥＩＡ−６０８とＥＩＡ−７０８とを統合した場合であっても、前述したＥＩＡ−６０８やＥＩＡ−７０８の場合と同様に、トグル切り替えボタンに限ることなく、如何なる手段を用いても良い。また、切り替え手段として、前述のように、ＥＩＡ−７０８とＥＩＡ−６０とのサービス間にまたがってサービスの切り替えを行うようにしても良いし、あるいは、現在選択中のサービスに近いサービスとして、ＥＩＡ−７０８とＥＩＡ−６０８とのそれぞれのサービス内においてのみ、切り替えるように構成することもできる。
【００７５】
次に、現在放送されているサービスや現在選択中にあるサービスに関する情報をユーザに対して提示するサービスの表示方法について図１０の統合サービス登録表を例にとって説明する。但し、サービスの表示方法については、図１０のようなＥＩＡ−６０８とＥＩＡ−６０８とを統合した統合サービス登録表の場合のみに限らず、図５のようなＥＩＡ−６０８サービス登録表や図９のようなＥＩＡ−７０８サービス登録表の場合であっても、全く同様に適用することができる。
【００７６】
図１０の統合サービス登録表に基づいて、現在放送されている有効なサービスの数として合計いくつあるか、また、ユーザがトグル切り替えボタンを操作して、選択したサービスが何番目のサービスであるか、が容易に判別することができるように、例えば図１１に例示するように、現在放送されている有効なサービスとして如何なるサービスがあり、かつ、合計何個のサービスが有効であって、現在何番目のサービスが選択されているかという情報を、図形化して表示しても良い。図１１は、サービスの切り替え状態を図形化して表示する一例を示す模式図であり、２番目の「Ｓｅｒｖｉｃｅ４」が現在選択されているサービスとして、枠で囲んだ図形として表示されている例を示している。
【００７７】
即ち、図１１の表示例においては、図１０の統合サービス登録表において「放送中」の欄に設定登録されているサービス（即ち現在放送されているサービス）が何個あるかを算出して、現在放送されている有効なサービス数の合計として、図１１の左側の分数の分母として表示し、また、図１０の「インデックス」欄に示すトグル切り替え順序を読み取って、トグル切り替えボタンの選択順番を示すものとして、図１１の左側の分数の分子として表示している。更に、ユーザが操作したトグル切り替えボタンなどのサービス切り替え手段の切り替え位置を取得して、現在選択されているサービスを示すものとして、図１１に示すように、当該サービスを枠で囲んで図形として強調表示している。
【００７８】
かくのごとく、現在放送されているサービスの合計数を示す分母と、トグル切り替えボタンをサービスの切り替え用の手段として用いる場合に備えて、トグル切り替え順番を示す分子とを分数表示している表示は、かかる分数表示とせずに、それぞれを別々に表示するようにしても良い。あるいは、サービス切り替え手段としてトグル切り替えボタンを用いない場合などにおいては、かくのごとき、サービスの合計数やトグル切り替え順番を表示しなくても構わない。
【００７９】
なお、図１１の表示例においては、現在放送されているサービスの全てについて、トグル切り替え順序を明示するように、下矢印で結んだ形式の一覧表示として表示する例を示しているが、かかる表示形式に限るものではなく、例えば、図１２に示すような表形式で一覧表示するようにしても良い。図１２は、サービスの切り替え状態を図形化して表示する他の例を示す模式図であり、現在放送されているサービスを表形式で表示すると共に、現在選択されているサービスをハッチングして強調表示している例を示している。また、現在選択されているサービスを強調表示する表示形式は、枠で囲んだりハッチングを施す場合のみに限るものではなく、表示文字のフォントやサイズあるいは文字色を変更して強調するようにしても良いし、背景色を変更して強調するようにしても良く、現在選択中のサービスであることが識別可能であれば如何なる強調表示形式を用いても構わない。
更には、図１１や図１２の表示例とは異なり、現在放送されている全てのサービスについて一覧表示するのではなく、現在切り替えられて選択中の状態にあるサービスのみを表示するようにしても良い。
【００８０】
また、ＰＭＴ及び／又はＥＩＴに記述されているｃａｐｔｉｏｎ  ｓｅｒｖｉｃｅ  ｄｅｓｃｒｉｐｔｏｒというディスクリプタには、ＥＩＡ−７０８規格において各サービスが使用する言語情報が含まれているので、ＥＩＡ−７０８側のサービス名については、該言語情報をも用いて表示するようにしても良い。この一例として、図１１や図１２の「Ｓｅｒｖｉｃｅ１」、「Ｓｅｒｖｉｃｅ４」のサービス名の代わりに、例えば、図１３のように、言語情報のみを表示するようにしても良い。図１３は、サービスの切り替え状態を図形化して表示する更に異なる例を示す模式図であり、図１１の表示例における「Ｓｅｒｖｉｃｅ１」のサービス名の代わりに言語情報として「Ｅｎｇｌｉｓｈ」を、また、「Ｓｅｒｖｉｃｅ４」のサービス名の代わりに言語情報として「Ｓｐａｎｉｓｈ」を表示している例を示している。
【００８１】
また、図１０の統合サービス登録表に例示するようなサービス状態において、現在選択中のサービスが放送されなくなった場合、例えば、デジタル放送用の「サービス４」を選択中に、選択中の該「サービス４」が放送されなくなった（消失した）場合、図１４のような状態に遷移することになり、以降、当然「サービス４」は表示できなくなる状態になるので、この場合は、初期値として、現在まで選択中の「サービス４」のようなデジタル放送用のサービスのうち、現在放送されている一番若い順位のサービスである「サービス１」に自動的に切り替えるようにしても良いし、あるいは、選択中であった「サービス４」の次の切り替え順位にあるデジタル放送用のサービスに切り替えるようにしても良い。あるいは、選択中であったデジタル放送用のサービスが他には存在していない場合には、場合によっては、アナログ放送用のサービスのうち、選択中であった「サービス４」に最も近いサービスに切り替えるようにしても良い。
【００８２】
ここに、図１４は、ＥＩＡ−６０８規格とＥＩＡ−７０８規格との双方のサービス判定結果を設定登録する統合サービス登録表の他の例を示す構成図であり、図１０のサービス状態から「サービス４」が消失した場合のサービス登録状態を示している。
言い換えると、現在選択中のサービスが放送されなくなった場合、別のサービスが存在しているか否かを、図１０のような統合サービス登録表を検索することにより判別し、別のサービスが複数存在している場合、その中から、現在選択中であったサービスに最も近いサービスを抽出して（即ち、現在選択中のサービスに最も近いサービスを判別して取得する近似サービス判定手段を用いて、最も近いサービスを抽出して）、該最も近いサービスに切り替えて設定するようにしている。
【００８３】
更に説明すると、図１０の統合サービス登録表のように、サービス形態が全く異なるＣｌｏｓｅｄ  ＣａｐｔｉｏｎサービスとＴＥＸＴサービスとを別々に管理し、トグル切り替えボタンの切り替え位置により図１０の統合サービス登録表を参照して、Ｃｌｏｓｅｄ  ＣａｐｔｉｏｎサービスとＴＥＸＴサービスとのいずれかも含めて、現在選択中のサービスを取得することができる。即ち、図１０の統合サービス登録表は、登録された各サービスについてＣｌｏｓｅｄ  ＣａｐｔｉｏｎのサービスとＴＥＸＴのサービスとのいずれのサービス種別かを判別するサービス種別判別手段を提供しており、「放送中」の欄を参照して、現在放送されているサービスとしてＣｌｏｓｅｄ  ＣａｐｔｉｏｎサービスとＴＥＸＴサービスとでそれぞれ何があるかを取得でき、かつ、現在選択中のサービスと最も近いサービスが何かを取得することができる近似サービス判定手段をも提供することができる。
【００８４】
而して、例えば、現在選択中のサービスがＣｌｏｓｅｄ  Ｃａｐｔｉｏｎサービスのいずれかであった場合に、該サービスが放送されなくなった場合には、現在放送されているＣｌｏｓｅｄ  Ｃａｐｔｉｏｎサービスのうち、現在選択中のサービスに最も近いサービスを検索して、検索した最も近いサービスに切り替えて選択するようにし、一方、現在選択中のサービスがＴＥＸＴサービスのいずれかであった場合に、該サービスが放送されなくなった場合には、現在放送されているＴＥＸＴサービスのうち、現在選択中のサービスに最も近いサービスを検索して、検索した最も近いサービスに切り替えて選択するようにすれば良い。これにより、Ｃｌｏｓｅｄ  ＣａｐｔｉｏｎサービスとＴＥＸＴサービスとにまたがって自動的には切り替えさせないようにし、突然、画面表示形態が切り替わってしまうことを防止することができ、画面表示上、ユーザへのサービス性を向上することができる。
【００８５】
なお、図１４の統合サービス登録表のように、「サービス４」が一旦消失した後、再度、「サービス４」が放送されている状態に復活した場合には、当然のことながら、また、「サービス４」を再登録し直し、例えば、図１０の統合サービス登録表に示すサービス状態に復旧するようにしても良く、更には、選択中のサービスについても、以前選択中であった「サービス４」が復活したことを判別することによって、復活した「サービス４」に自動的に切り替えて選択するようにしても良い。
【００８６】
また、図１０の統合サービス登録表のみに限らず、図５のＥＩＡ−６０８サービス登録表のごとく、アナログ放送用のＥＩＡ−６０８サービスのみが登録されている場合であっても、また、図９のＥＩＡ−７０８サービス登録表のごとく、デジタル放送用のＥＩＡ−７０８サービスのみが登録されている場合であっても、全く同様に最も近いサービスに関する処理を行うことができる。
【００８７】
ＥＩＡ−６０８のＴＥＸＴ（テキスト）サービスは、前述したように、Ｃｌｏｓｅｄ  Ｃａｐｔｉｏｎのサービスとは違う形式でテキストを表示するサービスであり、放送されている内容とは無関係のサービスとして、画面の大部分を特定の背景によって覆って表示するものである。
【００８８】
例えば、図１４の統合サービス登録表に示すようなサービス状態で、「サービス１」を選択中であった場合に、Ｃｌｏｓｅｄ  Ｃａｐｔｉｏｎサービスの「サービス１」及び「ＣＣ１」が共に放送されなくなってしまった（消失した）場合、図１５のような状態になり、「ＴＥＸＴ２」のサービスしか存在しなくなる。図１５は、ＥＩＡ−６０８規格とＥＩＡ−７０８規格との双方のサービス判定結果を設定登録する統合サービス登録表の更に異なる例を示す構成図であり、図１４に示すサービス状態において、「サービス１」及び「ＣＣ１」が消失した場合のサービス状態を示している。
【００８９】
ここで、図１５のサービス状態に示すように、残っている「ＴＥＸＴ２」のサービスに自動的に切り替えてしまうと、前述したように、突然、画面の大部分が背景によって覆われてしまい、表示中の放送映像が隠されてしまい、ユーザを混乱させかねない。そこで、たとえ、Ｃｌｏｓｅｄ  Ｃａｐｔｉｏｎのサービスが全て消失してしまったような場合が生じたとしても、現在選択中として設定されていたサービスがＣｌｏｓｅｄ  Ｃａｐｔｉｏｎの何らかのサービスであった場合、現在選択中のサービスに最も近いＣｌｏｓｅｄ  Ｃａｐｔｉｏｎのサービスを判定して、現在選択中のサービスが放送されなくなった後でも、放送されなくなった該サービスに最も近いＣｌｏｓｅｄ  Ｃａｐｔｉｏｎのサービス一時的に切り替えて選択表示させることも可能である。
【００９０】
例えば、現在選択中として設定されていたサービスが「サービス１」であった場合には、Ｃｌｏｓｅｄ  Ｃａｐｔｉｏｎのサービスが全て消失してしまったような場合が生じたとしても、選択されていた「サービス１」に最も近いＣｌｏｓｅｄ  Ｃａｐｔｉｏｎとして、選択中であった該「サービス１」を一時的に設定するようなサービス切り替え状態を選択するようにしても良い。而して、たとえ、Ｃｌｏｓｅｄ  Ｃａｐｔｉｏｎサービス以外に表示形式が全く異なるＴＥＸＴ（テキスト）サービスしか存在していないような場合であっても、現在放送されているＣｌｏｓｅｄ  Ｃａｐｔｉｏｎサービスと表示形式が大幅に異なってしまうような、ＴＥＸＴ（テキスト）サービス（図１５の場合の「ＴＥＸＴ２」）には切り替えないようにさせている。
【００９１】
逆に、ＴＥＸＴサービスを選択中の状態で、ＴＥＸＴサービスが全て放送されなくなり、消失してしまうような場合、現在放送されているサービスとして、たとえ、Ｃｌｏｓｅｄ  Ｃａｐｔｉｏｎサービスが存在していたとしても、表示形式が大幅に異なってしまうＣｌｏｓｅｄ  Ｃａｐｔｉｏｎサービスに切り替えさせることとせずに、選択中であったＴＥＸＴサービスに最も近いＴＥＸＴサービスを一時的に設定するようなサービス切り替え状態を選択するようにしても良い。
【００９２】
即ち、図１４の統合サービス登録表に示すようなサービス状態で、「ＴＥＸＴ２」を選択中であった場合に、前述のＣｌｏｓｅｄ  Ｃａｐｔｉｏｎサービスが消失した場合とは異なり、「ＴＥＸＴ２」が放送されなくなってしまった（消失した）場合、図１６のような状態になり、「サービス１」及び「ＣＣ１」のＣｌｏｓｅｄ  Ｃａｐｔｉｏｎサービスしか存在しなくなる。図１６は、ＥＩＡ−６０８規格とＥＩＡ−７０８規格との双方のサービス判定結果を設定登録する統合サービス登録表の更に異なる例を示す構成図であり、図１４に示すサービス状態において、「ＴＥＸＴ２」が消失した場合のサービス状態を示している。この場合、ＥＩＡ−６０８の「ＣＣ１」が次の切り替え順番のサービスであったとしても、現在は、画面の大部分が背景によって覆われてテキストが表示される状態に設定されているので、表示形式が大幅に異なってしまうＣｌｏｓｅｄ  Ｃａｐｔｉｏｎサービスの「ＣＣ１」に切り替えさせることとせずに、前述のように、選択中であった「ＴＥＸＴ２」に最も近いＴＥＸＴサービスとして、例えば「ＴＥＸＴ１」を一時的に設定するようなサービス切り替え状態を選択するようにしても良い。
【００９３】
あるいは、前述の場合とは異なり、「ＴＥＸＴ２」が放送されなくなってしまった場合、現在存在しているサービスがＣｌｏｓｅｄ  Ｃａｐｔｉｏｎのサービスである「サービス１」、「ＣＣ１」のみであった場合には、「サービス１」や「ＣＣ１」のいずれにも切り替えずに、かつ、放送されなくなった「ＴＥＸＴ２」に最も近いとして一時的に「ＴＥＸＴ１」を選択して設定するような状態にもすることなく、一旦、画面表示を一切行わないオフ状態に切り替えて設定してしまっても良い。
【００９４】
このようなＣｌｏｓｅｄ  ＣａｐｔｉｏｎサービスとＴＥＸＴサービスとの自動的な切り替えを抑止する処理は、図１０のような統合サービス登録表の場合のみに限るものではなく、図５のようなＥＩＡ−６０８サービス登録表の場合であっても、また、図９のようなＥＩＡ−７０８サービス登録表の場合であっても、全く同様に実施することができる。
【００９５】
なお、選択中のサービスが消失してしまった以降において、該サービスに最も近いサービスであるとして一時的に選択して設定するようなサービス切り替え状態が存在する場合、現在選択中の状態にあるとして表示しているサービスが、一時的な選択のものか、あるいは、現在放送されている有効なサービスとして選択中にあるものかをユーザが判別することができず、ユーザに混乱を与えかねない。そこで、図１１乃至図１３のように、サービスの切り替え状態を図形化して表示する際に、一時的な選択状態にあるサービスについては、例えば、サービス名や言語情報を（  ）で囲むように表現するなど、表示方法を他のサービス状態と異なるように表示させても良い。即ち、（  ）は、サービスの切り替え手段により現在選択中のサービスではなく、該現在選択中のサービスに最も近いサービスに切り替えられていることを示す識別表示である。なお、かかる一時的な選択状態を識別可能とする表示（即ち、前述の例では（  ）で囲むような表示）は、現在放送されている全てのサービスを一覧表示する場合のみに限るものではなく、現在選択中の状態にあるサービスのみを表示する場合においても、全く同様に適用することができる。
【００９６】
例えば、図１１のサービスの切り替え状態の表示例において、「サービス４」が放送されなくなって、図１４に示すように、現在放送されている有効なサービスが４つから３つに減少した場合、放送されなくなって消失した「サービス４」に最も近いデジタル放送用のＣｌｏｓｅｄ  Ｃａｐｔｉｏｎサービスとして、デジタル放送用の「サービス１」を一時的に選択した場合には、最も近いサービスに一時的に切り替えていることを示す識別表示として、図１７のように、「サービス１」に（  ）を付加して、「（Ｓｅｒｖｉｃｅ１）」とサービス名を囲むように表示しても良い。
【００９７】
図１７は、サービスの切り替え状態を図形化して表示する更に異なる例を示す模式図であり、一時的なサービス切り替えをした場合におけるサービスの切り替え状態の表示例を示している。即ち、図１１のサービス切り替え状態の表示例に示す状態から現在選択中の「サービス４」が消失した場合であっても、消失した「サービス４」に最も近いサービスであるとして、「サービス１」を一時的に選択して切り替えている状態を示している。この後、「サービス４」が復活したときには、当然のことながら、一時的なサービス切り替え状態を示す（  ）表示を「サービス１」から削除した状態にして、復活した「サービス４」を再度表示すると共に、復活した「サービス４」に自動的に選択状態を切り替えて設定し、「サービス４」を枠で囲むように表示することにしても良い。
【００９８】
なお、サービスの合計数及びサービスの選択順序を示す左側の分数表示は、図１７の例においては、放送されている有効なサービスが４つから３つに減少している状態にあるので、有効なサービス数を表示する分母は「４」ではなく「３」に更新し、残っている有効なサービス即ち「Ｓｅｒｖｉｃｅ１」、「ＣＣ１」、「ＴＥＸＴ２」それぞれについて、「１／３」、「２／３」、「３／３」と表示している。
【００９９】
また、図１４の統合サービス登録表に示すようなサービス状態で、ＥＩＡ−７０８のサービスである「サービス１」を選択中であった場合に、ＥＩＡ−７０８の「サービス１」が放送されなくなってしまった（消失した）場合、図１８のような状態になり、ＥＩＡ−７０８のサービスは全てなくなり、ＥＩＡ−６０８の「ＣＣ１」及び「ＴＥＸＴ２」しか存在しなくなる。図１８は、ＥＩＡ−６０８規格とＥＩＡ−７０８規格との双方のサービス判定結果を設定登録する統合サービス登録表の更に異なる例を示す構成図であり、図１４に示すサービス状態において、「サービス１」が消失し、ＥＩＡ−７０８のサービスが全て消失した場合のサービス状態を示している。この場合は、図１８の選択順序に示すように、デジタル放送用のＣｌｏｓｅｄ  Ｃａｐｔｉｏｎサービス「サービス１」と最も近いサービスとしてアナログ放送用のＣｌｏｓｅｄ  Ｃａｐｔｉｏｎサービス「ＣＣ１」を選択して表示するようにしても良い。
【０１００】
つまり、この場合、アナログ放送に切り替えたときは、ちょうど、ＥＩＡ−７０８のサービスが放送されなくなったように動作することになり、アナログ放送用とデジタル放送用とで同じ仕組みでサービスの切り替えが行われることが可能である。また、前述の例とは逆に、ＥＩＡ−６０８のサービスを選択中に、ＥＩＡ−６０８のサービスが全て消失してしまった場合、ＥＩＡ−７０８のサービスに切り替えるようにし、アナログ放送をデジタル放送に切り替えたと同じ仕組みで、サービスの切り替えを行うようにしても良い。
【０１０１】
即ち、現在選択中のサービスに最も近いサービスとして、アナログ放送用のＥＩＡ−６０８のサービスとデジタル放送用のＥＩＡ−７０８のサービスとの双方で、それぞれ取得することが可能なサービス取得手段を備えて、アナログ放送とデジタル放送とを切り替える放送切り替え手段を操作して、アナログ放送とデジタル放送との切り替えを行った際に、現在選択中のサービスに最も近いサービスに自動的に切り替えさせることにより、アナログ放送とデジタル放送との切り替えと、ＥＩＡ−６０８とＥＩＡ７０８のサービスの切り替えとを全く同じ仕組みで実現することができる。
【図面の簡単な説明】
【０１０２】
【図１】本発明によるアナログ・デジタル放送受信機の一実施形態例を示す機能ブロック図である。
【図２】ＥＩＡ−６０８ＣＣデコーダ内のブロック構成の一例を示す機能ブロック図である。
【図３】ＥＩＡ−７０８ＣＣデコーダ内のブロック構成の一例を示す機能ブロック図である。
【図４】ＥＩＡ−６０８規格のサービスを判定するためのＥＩＡ−６０８コード表の一例を示す構成図である。
【図５】ＥＩＡ−６０８規格のサービス判定結果を設定登録するサービス登録表の一例を示す構成図である。
【図６】ＥＩＡ−６０８規格の受信サービスを判定する処理の一例を示すフローチャートである。
【図７】アナログ放送用のＥＩＡ−６０８規格の受信サービスを判定する処理の他の例を示すフローチャートである。
【図８】ＥＩＡ−７０８サービスパケットの構成の一例を示す模式図である。
【図９】ＥＩＡ−７０８規格のサービス判定結果を設定登録するサービス登録表の一例を示す構成図である。
【図１０】ＥＩＡ−６０８規格とＥＩＡ−７０８規格との双方のサービス判定結果を設定登録する統合サービス登録表の一例を示す構成図である。
【図１１】サービスの切り替え状態を図形化して表示する一例を示す模式図である。
【図１２】サービスの切り替え状態を図形化して表示する他の例を示す模式図である。
【図１３】サービスの切り替え状態を図形化して表示する更に異なる例を示す模式図である。
【図１４】ＥＩＡ−６０８規格とＥＩＡ−７０８規格との双方のサービス判定結果を設定登録する統合サービス登録表の他の例を示す構成図である。
【図１５】ＥＩＡ−６０８規格とＥＩＡ−７０８規格との双方のサービス判定結果を設定する統合サービス登録表の更に異なる例を示す構成図である。
【図１６】ＥＩＡ−６０８規格とＥＩＡ−７０８規格との双方のサービス判定結果を設定登録する統合サービス登録表の更に異なる例を示す構成図である。
【図１７】サービスの切り替え状態を図形化して表示する更に異なる例を示す模式図である。
【図１８】ＥＩＡ−６０８規格とＥＩＡ−７０８規格との双方のサービス判定結果を設定登録する統合サービス登録表の更に異なる例を示す構成図である。
【符号の説明】
【０１０３】
１…リモコン、２…Ｉ／Ｏ（インターフェース）、３…ＮＶＲＡＭ、４…ＣＰＵ（マイクロプロセッサ）、５…主メモリ（ＲＡＭ）、６…プログラムメモリ、７…システムバス、８…デジタルチューナ、９…ＤＥＭＵＸ（ＴＳデコーダ）、１０…ＥＩＡ−７０８ＣＣデコーダ、１１…ＯＳＤ（提示装置）、１２…アナログチューナ、１３…ＶＢＩスライサ、１４…ＥＩＡ−６０８ＣＣデコーダ、２０…アナログ・デジタル放送受信機、１０１…デコード部、１０２…コマンド実行部、１０３…ウィンドウ管理部、１０４…描画処理部、１０５…サービス判定部、１４１…デコード部、１４２…コマンド実行部、１４３…ウィンドウ管理部、１４４…描画処理部、１４５…サービス判定部。
【図１】
2005303623.tif 000003
【図２】
2005303623.tif 000004
【図３】
2005303623.tif 000005
【図４】
2005303623.tif 000006
【図５】
2005303623.tif 000007
【図６】
2005303623.tif 000008
【図７】
2005303623.tif 000009
【図８】
2005303623.tif 000010
【図９】
2005303623.tif 000011
【図１０】
2005303623.tif 000012
【図１１】
2005303623.tif 000013
【図１２】
2005303623.tif 000014
【図１３】
2005303623.tif 000015
【図１４】
2005303623.tif 000016
【図１５】
2005303623.tif 000017
【図１６】
2005303623.tif 000018
【図１７】
2005303623.tif 000019
【図１８】
2005303623.tif 000020